(57)【要約】【課題】  電力量計などの計器の在庫管理を効果的に行うことができる計器在庫管理システム及び計器在庫管理方法を提供する。【解決手段】  計器在庫管理システムは、計器の残りの有効期間を算出するための情報を含む計器情報をバーコードリーダから取得し、取得した計器情報に基づいて残りの有効期間が所定の期間以上の計器と、残りの有効期間が所定の期間未満の計器とに分けた後、取得した計器情報に基づいて在庫情報を更新する計器情報取得手段と、外部から入力される、庫出する計器の種別及び数量を示す情報を含む庫出請求情報を取得する庫出請求情報取得手段と、在庫情報及び庫出請求情報に基づいて、在庫品の数量と庫出する計器の数量との差である計器庫出入数量を、新設又は増設に用いる計器と不良計器取替に用いる計器とに分けて算出する庫出入数量算出手段とを具備する。【選択図】  図１
2007004214.tif 000002
【特許請求の範囲】
【請求項１】
新たに納入された計器の有効期間及び撤去されてきた計器の残りの有効期間を算出するための情報を含む計器情報をバーコードリーダから取得し、取得した計器情報に基づいて在庫情報を更新すると共に、前記撤去されてきた計器の計器情報に基づいて残りの有効期間が所定の期間以上の計器と残りの有効期間が所定の期間未満の計器とに分けた撤去計器情報を生成する計器情報取得手段と、
外部から入力される、庫出する計器の種別及び数量を示す情報を含む庫出請求情報を取得する庫出請求情報取得手段と、
前記在庫情報、前記撤去計器情報及び前記庫出請求情報に基づいて、在庫品の数量と庫出する計器の数量との差である計器庫出入数量を、新設又は増設に用いる計器と不良計器取替に用いる計器とに分けて算出する庫出入数量算出手段と
を具備することを特徴とする計器在庫管理システム。
【請求項２】
請求項１記載の計器在庫管理システムにおいて、
該計器在庫管理システムが設けられた事業所とは異なる他の事業所に設けられた他の計器在庫管理システム及び計器メーカーに設けられたメーカー在庫管理システムと通信回線を介して相互に接続され、
前記庫出入数量算出手段により、在庫品が不足する場合に前記他の事業所及び前記計器メーカーへの在庫確認を指示する在庫確認指示信号を生成し、
該在庫確認指示信号によって示される前記計器の在庫の有無を問い合わせる在庫有無問合せ信号を前記他の計器在庫管理システムに送信し、当該他の計器在庫管理システムから「計器の在庫なし」を示す回答信号を受信すると、前記在庫有無問合せ信号を前記メーカー在庫管理システムに送信する計器調達処理手段を更に具備することを特徴とする計器在庫管理システム。
【請求項３】
請求項１又は２記載の計器在庫管理システムにおいて、
顧客からの電気使用申込みを受け付ける新増設工事システムと接続され、
該新増設工事システムは、前記顧客からの電気使用申込み毎に計器の種別及び竣工予定日を示す情報を含む庫出請求情報を生成する庫出請求情報生成手段と、該庫出請求情報生成手段によって生成された庫出請求情報を送信する手段とを備えている
ことを特徴とする計器在庫管理システム。
【請求項４】
請求項１乃至３のいずれか記載の計器在庫管理システムにおいて、更に、
前記他の計器在庫管理システムから在庫有無問合せ信号を受信すると、在庫情報データベースに格納されている在庫情報に基づいて、問合せのあった計器の在庫の有無をチェックし、そのチェック結果を示す回答信号を当該他の計器在庫管理システムに送信する手段
を具備することを特徴とする計器在庫管理システム。
【請求項５】
請求項１乃至４のいずれか記載の計器在庫管理システムにおいて、更に、
庫出された計器に貼付されているバーコードが示す計器情報が前記バーコードリーダから入力されると、前記在庫情報を更新して、該庫出された計器を在庫品から除く庫出処理手段
を具備することを特徴とする計器在庫管理システム。
【請求項６】
計器在庫管理システムにおいて、計器情報取得手段により、新たに納入された計器の有効期間及び撤去されてきた計器の残りの有効期間を算出するための情報を含む計器情報をバーコードリーダから取得し、該取得した計器情報に基づいて在庫情報を更新するとともに、前記撤去されてきた計器の前記計器情報に基づいて残りの有効期間が所定の期間以上の計器と残りの有効期間が所定の期間未満の計器とに分けた撤去計器情報を生成するステップと、
庫出請求情報取得手段により、外部から入力される、庫出する計器の種別及び数量を示す情報を含む庫出請求情報を取得するステップと、
庫出入数量算出手段により、前記在庫情報、前記撤去計器情報及び前記庫出請求情報に基づいて、在庫品の数量と庫出する計器の数量との差である計器庫出入数量を、新設又は増設に用いる計器と不良計器取替に用いる計器とに分けて算出するステップと
を含むことを特徴とする計器在庫管理方法。
【請求項７】
請求項６記載の計器在庫管理方法において、更に、
前記庫出入数量算出手段により、在庫品が不足する場合に、前記計器在庫管理システムが設けられた事業所と異なる他の事業所及び計器メーカーへの在庫の確認を指示する在庫確認指示信号を生成するステップと、
計器調達処理手段により、前記在庫確認指示信号によって示される前記計器の在庫の有無を問い合わせる在庫有無問合せ信号を、前記他の事業所に設けられた他の計器在庫管理システムに通信回線を介して送信し、当該他の計器在庫管理システムから「計器の在庫なし」を示す回答信号を受信すると、前記在庫有無問合せ信号を前記計器メーカーに設けられたメーカー在庫管理システムに前記通信回線を介して送信するステップと
を含むことを特徴とする計器在庫管理方法。
【請求項８】
請求項６又は７記載の計器在庫管理方法において、更に、
顧客からの電気使用申込みを受け付ける新増設工事システムにより、顧客から電気使用申込み毎に計器の種別及び竣工予定日を示す情報を含む庫出請求情報を生成し、該生成した庫出請求情報を前記計器在庫管理システムに送信するステップを含むことを特徴とする計器在庫管理方法。
【発明の詳細な説明】
【技術分野】
【０００１】
本発明は、計器在庫管理システム及び計器在庫管理方法に関し、特に、家屋などに取り付けられる電力量計その他の計器を計器倉庫に保管し管理する場合に好適な計器在庫管理システム及び計器在庫管理方法に関する。
【背景技術】
【０００２】
電力会社においては、例えば、家の新増設に伴い計器を庫出する際には、月２回の配車日に合わせて必要な数量の計器を計器倉庫から庫出している。また、家の取壊しに伴い計器を撤去した場合には、有効期間が残っている計器を計器倉庫に庫入して再利用している。このような計器倉庫における計器の在庫管理は、担当者が在庫数量を帳票に記載することにより行われている。
【０００３】
なお、下記の特許文献１に記載されている在庫管理コンピュータ・システムのように、製品の在庫をコンピュータで管理するシステムは多数提案されている。
【０００４】
【特許文献１】特開２００４−２６５０７号公報
【発明の開示】
【発明が解決しようとする課題】
【０００５】
しかしながら、上述したような計器の在庫管理は、撤去された計器でも有効期間が残っている計器については再利用するという特殊な事情を考慮せずにコンピュータ化しても、効果的に在庫管理をすることはできないという問題がある。
【０００６】
また、このような計器の在庫管理をコンピュータ化しても、不足する計器については計器メーカーに注文することになるが、電力量計などのような特殊な計器の倉庫は各県にあるとは限らないため、月２回の配車日に必要な数量の計器を確保できずに、施工日の延期により顧客や工事店に大変な迷惑を掛けるという問題がある。
【０００７】
本発明の目的は、電力量計などの計器の在庫管理を効果的に行うことができる計器在庫管理システム及び計器在庫管理方法を提供することにある。
【課題を解決するための手段】
【０００８】
本発明の計器在庫管理システムは、
新たに納入された計器の有効期間及び撤去されてきた計器の残りの有効期間を算出するための情報を含む計器情報をバーコードリーダから取得し、取得した計器情報に基づいて在庫情報を更新すると共に、前記撤去されてきた計器の計器情報に基づいて残りの有効期間が所定の期間以上の計器と残りの有効期間が所定の期間未満の計器とに分けた撤去計器情報を生成する計器情報取得手段と、
外部から入力される、庫出する計器の種別及び数量を示す情報を含む庫出請求情報を取得する庫出請求情報取得手段と、
前記在庫情報と前記撤去計器情報と前記庫出請求情報とに基づいて、在庫品の数量と庫出する計器の数量との差である計器庫出入数量を新設又は増設に用いる計器と不良計器取替に用いる計器とに分けて算出する庫出入数量算出手段と
を具備することを特徴とする。
【０００９】
本発明の実施態様では、前記計器在庫管理システムが設けられた事業所とは異なる他の事業所に設けられた他の計器在庫管理システムと計器メーカーに設けられたメーカー在庫管理システムと通信回線を介して相互に接続され、前記庫出入数量算出手段により、在庫品が不足する場合には、前記他の事業所及び前記計器メーカーへの在庫の確認を指示する在庫確認指示信号を生成し、前記在庫確認指示信号によって示される前記計器の在庫の有無を問い合わせる在庫有無問合せ信号を前記他の計器在庫管理システムに送信し、当該他の計器在庫管理システムから「計器の在庫なし」を示す回答信号を受信すると、前記在庫有無問合せ信号を前記メーカー在庫管理システムに送信する計器調達処理手段を更に具備する。
【００１０】
また、前記計器在庫管理システムは、顧客からの電気使用申込を受け付けるための新増設工事システムと接続され、該新増設工事システムは、顧客から電気使用申込を受け付けると、顧客からの電気使用申込ごとに計器の種別及び竣工予定日を示す情報を含む庫出請求情報を生成する庫出請求情報生成手段と、該庫出請求情報生成部によって生成された庫出請求情報を前記計器在庫管理システムに送信する手段とを備えることが好ましい。
【００１１】
更に、前記他の計器在庫管理システムから在庫有無問合せ信号を受信すると、在庫情報データベースに格納されている在庫情報に基づいて、問合せのあった計器の在庫の有無をチェックし、チェック結果を示す回答信号を該他の計器在庫管理システムに送信する手段を具備してもよい。
【００１２】
更に、庫出された計器に貼付されているバーコードが示す計器情報が前記バーコードリーダから入力されると、前記在庫情報を更新して、該庫出された計器を在庫品から除く庫出処理手段を具備してもよい。
【００１３】
本発明の計器在庫管理方法は、計器在庫管理システムにおいて、計器情報取得手段により、新たに納入された計器の有効期間及び撤去されてきた計器の残りの有効期間を算出するための情報を含む計器情報をバーコードリーダから取得し、該取得した計器情報に基づいて在庫情報を更新すると共に、前記撤去されてきた計器の前記計器情報に基づいて残りの有効期間が所定の期間以上の計器と残りの有効期間が所定の期間未満の計器とに分けた撤去計器情報を生成するステップと、庫出請求情報取得手段により、外部から入力される、庫出する計器の種別及び数量を示す情報を含む庫出請求情報を取得するステップと、庫出入数量算出手段により、前記在庫情報と前記撤去計器情報と前記庫出請求情報とに基づいて、在庫品の数量と庫出する計器の数量との差である計器庫出入数量を、新設又は増設に用いる計器と不良計器取替に用いる計器とに分けて算出するステップとを含むことを特徴とする。
【００１４】
本発明の実施態様では、前記庫出入数量算出手段により、在庫品が不足する場合には、前記計器在庫管理システムが設けられた事業所と異なる他の事業所及び計器メーカーへの在庫の確認を指示する在庫確認指示信号を生成するステップと、計器調達処理手段により、前記在庫確認指示信号によって示される前記計器の在庫の有無を問い合わせる在庫有無問合せ信号を、前記他の事業所の設けられた他の計器在庫管理システムに通信回線を介して送信し、当該他の計器在庫管理システムから「計器の在庫なし」を示す回答信号を受信すると、前記在庫有無問合せ信号を前記計器メーカーに設けられたメーカー在庫管理システムに前記通信回線を介して送信するステップとを更に含む。
【００１５】
更に、顧客からの電気使用申込を受け付けるための新増設工事システムにより、顧客から電気使用申込を受け付けると、顧客からの電気使用申込ごとに計器の種別及び竣工予定日を示す情報を含む庫出請求情報を生成し、該生成した庫出請求情報を前記計器在庫管理システムに送信するステップを含むことが好ましい。
【発明の効果】
【００１６】
本発明の計器在庫管理システム及び計器在庫管理方法は、以下の効果を奏する。
（１）残りの有効期間が所定の期間以上の計器は新設又は増設に用いる計器として再利用し、残りの有効期間が所定の期間未満の計器は不良計器取替に用いる計器として再利用するように計器の在庫管理ができるため、有効期間が残っている計器については再利用するという特殊な事情を考慮した在庫管理を効果的に行うことができる。
（２）在庫品が不足する場合には他の事業所に在庫がないことを確認した上で計器メーカーに在庫を確認するようにできるため、計器の倉庫が各県にあるとは限らないという特殊な事情を考慮した在庫管理を効果的に行うことができる。
【発明を実施するための最良の形態】
【００１７】
以下、本発明の計器在庫管理システム及び計器在庫管理方法の実施例について図面を参照して説明する。
【００１８】
本発明の一実施例による第１の計器在庫管理システム１０は、図１に示すように、Ａ電力会社のａ営業所（事業所）に設けられており、Ａ電力会社のｂ営業所（事業所）に設けられた第２の計器在庫管理システム２０及び計器メーカーに設けられたメーカー在庫管理システム８０と通信回線９０を介して相互に接続されている。また、第１の計器在庫管理システム１０には、バーコードリーダ３０が接続されているとともに、新増設工事システム７０が社内ＬＡＮなどを介して接続されている。
【００１９】
バーコードリーダ３０は、電力量計などの計器に貼付されているバーコードによって示される計器情報を読み取って、読み取った計器情報を第１の計器在庫管理システム１０に出力する。
【００２０】
図２に、計器に貼付されているバーコードによって示される計器情報の一例を示す。この例で示すように、電力量計については、計器情報は、計量方式、容量、型式、製造年、製造番号、乗率、計器盤桁、検定有効年、検定有効月、製造番号（１）、製造番号（２）、原検定年、原検定月、原検定番号及び合番号を示す。ここで、検定有効年及び検定有効月は、この電力量計の残りの有効期間を算出するための属性情報であり、計量方式、容量、型式、乗率及び計器盤桁はこの電力量計の種別を示す情報であり、製造年及び製造番号はこの電力量計を特定する情報であり、原検定年、原検定月及び原検定番号は、電力量計に対応する変成器の検定情報である。
【００２１】
また、有効期限のないタイムスイッチについては、計器情報は、相・線・電圧、容量、型式及び製造年などを示す。
【００２２】
新増設工事システム７０は、顧客からの電気使用申込を受け付けるためのシステムであり、庫出請求情報生成部７１と、データ送受信部７２とを備える。
【００２３】
庫出請求情報生成部７１は、顧客から電気使用申込を受け付けると、庫出請求情報を生成して、生成した庫出請求情報を庫出請求情報データベース（庫出請求情報ＤＢ）７３に格納する。ここで、庫出請求情報は、顧客からの電気使用申込ごとに、庫出する計器の種別及び数量を示す情報を含む情報であり、例えば、受付番号、区分（集合や戸建など）、契種、計器の種別、計器の計量方式、計器の容量、計器の数量及び竣工予定日などを示す。
【００２４】
データ送受信部７２は、庫出請求情報生成部７１によって生成された庫出請求情報を第１及び第２の計器在庫管理システム１０，２０に社内ＬＡＮなどを介して送信する。
【００２５】
メーカー在庫管理システム８０は、後述する在庫有無問合せ信号を第１又は第２の計器在庫管理システム１０，２０から受信すると、在庫情報データベース（在庫情報ＤＢ）８２に格納されている在庫情報に基づいて、問合せのあった計器の在庫をチェックし、チェック結果を示す回答信号を第１又は第２の計器在庫管理システム１０，２０に通信回線９０を介して送信するデータ送受信部８１を備える。
【００２６】
第１の計器在庫管理システム１０は、計器情報取得部１１と、庫出請求情報取得部１２と、庫出入数量算出部１３と、計器調達処理部１４と、庫出処理部１５と、データ送受信部１６とを具備する。
【００２７】
計器情報取得部１１は、バーコードリーダ３０から入力される計器情報に基づいて、以下に示すような処理を行う。
（１）計器が計器メーカーから新たに納入されたものである場合には、在庫情報データベース（在庫情報ＤＢ）５１に格納されている在庫情報を計器情報に基づいて更新して、この計器を在庫品に追加する。
（２）計器が撤去されてきたものであり、かつ、「不良計器である」旨が第１の計器在庫管理システム１０の入力装置（不図示）から入力された場合には、「計器を計器メーカーへ庫入した」旨を示す撤去計器情報を生成して、生成した撤去計器情報を撤去計器情報データベース（撤去計器情報ＤＢ）５３に格納するとともに、不良計器情報データベース（不良計器ＤＢ）５４に格納されている不良計器情報を更新して、この計器を不良計器に追加する。
（３）計器が撤去されてきたものであり、かつ、「不良計器である」旨が第１の計器在庫管理システム１０の入力装置から入力されてこない場合には、撤去された計器に付されたバーコードによって示される計器情報に基づいて残りの有効期間を算出する。
（３−１）残りの有効期間がないときには、「計器を計器メーカーへ庫入した」旨を示す撤去計器情報を生成して、生成した撤去計器情報を撤去計器情報データベース５３に格納する。
（３−２）残りの有効期間が５年未満であるときには、「計器を不良計器の取替に用いる」旨を示す撤去計器情報を生成して、生成した撤去計器情報を撤去計器情報データベース５３に格納するとともに、在庫情報データベース５１に格納されている在庫情報を計器情報に基づいて更新して、この計器を在庫品に追加する。
（３−３）残りの有効期間が５年以上である場合には、「計器を新設又は増設に用いる」旨を示す撤去計器情報を生成して、生成した撤去計器情報を撤去計器情報データベース５３に格納するとともに、在庫情報データベース５１に格納されている在庫情報を計器情報に基づいて更新して、この計器を在庫品に追加する。
【００２８】
庫出請求情報取得部１２は、庫出請求情報を新増設工事システム７０からデータ送受信部１６を介して受信すると、受信した庫出請求情報を庫出請求情報データベース（庫出請求情報ＤＢ）５２に格納する。また、庫出請求情報取得部１２は、担当部署からの不良計器の取替情報やハウスメーカーなどの社外からの情報提供に基づいて生成された庫出請求情報が第１の計器在庫管理システム１０の入力装置から入力されると、入力された庫出請求情報を庫出請求情報データベース５２に格納する。
【００２９】
庫出入数量算出部１３は、月２回の配車日に在庫品が不足することを防止するために、例えば１週間ごとに、外部から入力される庫出入数量確認指示信号に応答して、在庫情報データベース５１に格納されている在庫情報と撤去計器情報データベース５３に格納されている撤去計器情報と庫出請求情報データベース５２に格納されている庫出請求情報とに基づいて計器庫出入数量を算出し、在庫品が不足する場合には、他の営業所及び計器メーカーへの在庫の確認を指示する在庫確認指示信号を計器調達処理部１４に出力する。このとき、庫出入数量算出部１３は、同じ計器であっても、新設又は増設に用いるものと不良計器取替に用いるものとに分けて、計器庫出入数量を算出する。
【００３０】
計器調達処理部１４は、在庫確認指示信号が庫出入数量算出部１３から入力されると、この在庫確認指示信号によって示される計器の在庫の有無を問い合わせる在庫有無問合せ信号を第２の計器在庫管理システム２０にデータ送受信部１６を介して送信する。
【００３１】
その結果、「計器の在庫がある」旨を示す回答信号を第２の計器在庫管理システム２０からデータ送受信部１６を介して受信すると、計器調達処理部１４は、計器をｂ営業所から調達するように指示する計器調達指示信号を第１の計器在庫管理システム１０の表示装置（不図示）に表示させる。
【００３２】
一方、「計器の在庫がない」旨を示す回答信号を第２の計器在庫管理システム２０からデータ送受信部１６を介して受信すると、計器調達処理部１４は、計器の在庫の有無を問い合わせる在庫有無問合せ信号をメーカー在庫管理システム８０にデータ送受信部１６を介して送信する。その結果、「計器の在庫がある」旨を示す回答信号をメーカー在庫管理システム８０から受信すると、計器を計器メーカーから調達するように指示する計器調達指示信号を第１の計器在庫管理システム１０の表示装置に表示させる。
【００３３】
庫出処理部１５は、「計器が庫出された」旨が第１の計器在庫管理システム１０の入力装置から入力されるとともに、庫出された計器に貼付されているバーコードが示す計器情報がバーコードリーダ３０から入力されると、在庫情報データベース５１に格納されている在庫情報を更新して、庫出された計器を在庫品から除く。
【００３４】
データ送受信部１６は、第２の計器在庫管理システム２０及びメーカー在庫管理システム８０との間の通信回線９０を介した各種のデータ、情報及び信号の送受信を行う。
【００３５】
また、データ送受信部１６は、新増設工事システム７０との間の社内ＬＡＮなどを介した各種のデータ、情報及び信号の送受信を行う。
【００３６】
さらに、データ送受信部１６は、第２の計器在庫管理システム２０から在庫有無問合せ信号を受信すると、在庫情報データベース５１に格納されている在庫情報に基づいて、問合せのあった計器の在庫の有無をチェックし、チェック結果を示す回答信号を第２の計器在庫管理システム２０に送信する。
【００３７】
第２の計器在庫管理システム２０は、上述した第１の計器在庫管理システム１０と同様に構成されている。なお、図１には、図面の簡単のために、データ送受信部２６と在庫情報データベース（在庫情報ＤＢ）６１のみを図示している。
【００３８】
次に、本実施例による第１の計器在庫管理システム１０の動作について、計器の例として電力量計を用いて、図３から図５に示すフローチャートを参照して説明する。
【００３９】
まず、計器情報取得部１１の動作について、図３に示すフローチャートを参照して説明する。
【００４０】
１１０個の電力量計が計器メーカーから納入されてくると、図２に示したような計器情報が示されたバーコードがこれらの電力量計に貼付される。その後、これらの電力量計に貼付されたバーコードによって示される計器情報がバーコードリーダ３０を用いて読み取られたのち、バーコードリーダ３０から計器情報取得部１１に入力される。
【００４１】
また、１００個の電力量計（１０個が不良電力量計であり、２０個が残りの有効期間がなくなった電力量計であり、２５個が残りの有効期間が５年未満の電力量計であり、４５個が残りの有効期間が５年以上の電力量計であるとする。）が撤去されてくると、これらの電力量計に貼付されているバーコードによって示される計器情報がバーコードリーダ３０を用いて読み取られたのち、計器情報取得部１１に入力される。このとき、１０個の不良電力量計については、「不良電力量計である」旨が第１の計器在庫管理システム１０の入力装置を用いて計器情報取得部１１に入力される（以上、ステップＳ１１）。
【００４２】
計器情報取得部１１は、計器メーカーから新たに納入された１１０個の電力量計については、在庫情報データベース５１に格納されている在庫情報を計器情報に基づいて更新して、これらの電力量計を在庫品に追加する（ステップＳ１２，Ｓ１３）。
【００４３】
計器情報取得部１１は、撤去されてきた１００個の電力量計のうち「不良電力量計である」旨が入力された１０個の電力量計については、「電力量計を計器メーカーへ庫入した」旨を示す撤去計器情報を生成して、生成した撤去計器情報を撤去計器情報データベース５３に格納するとともに、不良計器情報データベース５４に格納されている不良計器情報を更新して、これらの電力量計を不良計器に追加する（ステップＳ１４，Ｓ１５）。
【００４４】
計器情報取得部１１は、撤去されてきた１００個の電力量計のうち残りの９０個の電力量計については、これらの電力量計に係る計器情報に含まれている検定有効年及び検定有効月（図２参照）に基づいて残りの有効期間を算出する（ステップＳ１６）。
【００４５】
計器情報取得部１１は、残りの有効期間がなくなっている２０個の電力量計については、「電力量計を計器メーカーへ庫入した」旨を示す撤去計器情報を生成して、生成した撤去計器情報を撤去計器情報データベース５３に格納する（ステップＳ１７）。
【００４６】
計器情報取得部１１は、残りの有効期間が５年未満である２５個の電力量計については、「電力量計を不良計器の取替に用いる」旨を示す撤去計器情報を生成して、生成した撤去計器情報を撤去計器情報データベース５３に格納するとともに、在庫情報データベース５１に格納されている在庫情報を計器情報に基づいて更新して、これらの電力量計を在庫品に追加する（ステップＳ１８）。
【００４７】
計器情報取得部１１は、残りの有効期間が５年以上である残りの４５個の電力量計については、「電力量計を新設又は増設に用いる」旨を示す撤去計器情報を生成して、生成した撤去計器情報を撤去計器情報データベース５３に格納するとともに、在庫情報データベース５１に格納されている在庫情報を計器情報に基づいて更新して、これらの電力量計を在庫品に追加する（ステップＳ１９）。
【００４８】
次に、庫出請求情報取得部１２の動作について説明する。
【００４９】
新増設工事システム７０において、集合住宅用として電力量計を１２０個必要としかつ竣工予定日が平成１７年７月１０日である電気使用申込が顧客からあると、庫出請求情報生成部７１は、受付番号、区分（この例では、集合）、契種、電力量計の種別、電力量計の計量方式、電力量計の容量、電力量計の数量（この例では、１２０個）及び竣工予定日（この例では、平成１７年７月１０日）などを示す庫出請求情報を生成したのち、生成した庫出請求情報を庫出請求情報データベース７３に格納するとともにデータ送受信部７２を介して第１の計器在庫管理システム１０に送信する。
【００５０】
また、ａ営業所において、担当部署からの取替情報（１０個の不良電力量計の取替を必要とする情報）やハウスメーカーなどの社外からの情報提供（新築用に２０個の電力量計を必要とする情報の提供）に基づいて生成された庫出請求情報は、入力装置を用いて第１の計器在庫管理システム１０に入力される。
【００５１】
新増設工事システム７０から第１の計器在庫管理システム１０に送信された庫出請求情報は、データ送受信部１６によって受信され、データ送受信部１６から庫出請求情報取得部１２に入力されたのち、庫出請求情報取得部１２によって庫出請求情報データベース５２に格納される。また、入力装置を用いて第１の計器在庫管理システム１０に入力された庫出請求情報は、庫出請求情報取得部１２に入力されたのち、庫出請求情報取得部１２によって庫出請求情報データベース５２に格納される。
【００５２】
次に、庫出入数量算出部１３、計器調達処理部１４及び庫出処理部１５の動作について、図４及び図５に示すフローチャートを参照して説明する。
【００５３】
ａ営業所の担当者は、次の配車日（平成１７年7月５日）に電流量計の在庫品が不足することを防止するために、１週間ごとに、庫出入数量確認指示信号を第１の計器在庫管理システム１０の入力装置から入力する（ステップＳ２１）。
【００５４】
庫出入数量算出部１３は、この庫出入数量確認指示信号に応答して、在庫情報データベース５１に格納されている在庫情報と撤去計器情報データベース５３に格納されている撤去計器情報と庫出請求情報データベース５２に格納されている庫出請求情報とに基づいて計器庫出入数量を算出するが、同じ電流量計であっても、新設又は増設に用いるものと不良電流量計の取替に用いるものとに分けて、計器庫出入数量を算出する（ステップＳ２２）。
例えば、庫出入数量算出部１３は、新設又は増設に用いる電流量計の計器庫出入数量を算出するために、在庫情報データベース５１に格納されている在庫情報と撤去計器情報データベース５３に格納されている撤去計器情報とに基づいて、計器メーカーから新たに納入された電力量計の数量１１０個と、撤去された電流量計のうち残りの有効期間が５年以上である電流量計の数量４５個とを取得して、これらの数量を合計して庫入数量１５５個（＝１１０個＋４５個）を算出する。また、庫出入数量算出部１３は、庫出請求情報データベース５２に格納されている庫出請求情報に基づいて、新増設工事システム７０から送信されてきた集合住宅用として必要である電力量計の数量１２０個と、ハウスメーカーなどの社外からの情報提供により新築用として必要である電力量計の数量２０個とを取得し、これらの数量を合計して庫出数量１４０個（＝１２０個＋２０個）を算出する。その後、庫出入数量算出部１３は、庫入数量１５５個から庫出数量１４０個を引いて、新設又は増設に用いる電流量計の計器庫出入数量１５個（＝１５５個−１４０個）を得る。
続いて、庫出入数量算出部１３は、不良電流量計の取替に用いる電流量計の計器庫出入数量を算出するために、在庫情報データベース５１に格納されている在庫情報と撤去計器情報データベース５３に格納されている撤去計器情報とに基づいて、撤去された電流量計のうち残りの有効期間が５年未満である電流量計の数量２５個を取得して、取得した数量２５個を庫入数量とする。また、庫出入数量算出部１３は、庫出請求情報データベース５２に格納されている庫出請求情報に基づいて、担当部署から入力された不良電力量計の取替用として必要である電力量計の数量１０個を取得し、取得した数量１０個を庫出数量とする。その後、庫出入数量算出部１３は、庫入数量２５個から庫出数量１０個を引いて、不良電流量計の取替に用いる電流量計の計器庫出入数量１５個（＝２５個−１０個）を得る。
【００５５】
以上のようにして次の配車日に電流量計の在庫品が不足しないことを確認すると、庫出入数量算出部１３は、その旨を第１の計器在庫管理システム１０の表示装置に表示させる（ステップＳ２３，Ｓ２４）。
【００５６】
一方、同様にして計器庫出入数量を算出して次の配車日に電流量計の在庫品が不足することを確認すると、庫出入数量算出部１３は、まず、ｂ営業所への電流量計の在庫の確認を指示する在庫確認指示信号を計器調達処理部１４に出力する（ステップＳ２３，Ｓ２５）。
【００５７】
計器調達処理部１４は、この在庫確認指示信号に応答して、不足数量分の電力量計の在庫の有無を問い合わせる在庫有無問合せ信号を生成したのち、生成した在庫有無問合せ信号を第２の計器在庫管理システム２０にデータ送受信部１６を介して送信する（ステップＳ２６）。
【００５８】
第２の計器在庫管理システム２０のデータ送受信部２６は、この在庫有無問合せ信号に応答して、在庫情報データベース６１に格納されている在庫情報に基づいて、問合せのあった数量の電力量計の在庫の有無をチェックしたのち、チェック結果を示す回答信号を第１の計器在庫管理システム１０に送信する（ステップＳ２７）。
【００５９】
計器調達処理部１４は、「電力量計の在庫がある」旨を示す回答信号を受信すると、不足数量分の電力量計をｂ営業所から調達するように指示する計器調達指示信号を第１の計器在庫管理システム１０の表示装置に表示させる。
【００６０】
一方、「電力量計の在庫がない」旨を示す回答信号を受信すると、計器調達処理部１４は、電力量計の在庫の有無を問い合わせる在庫有無問合せ信号をメーカー在庫管理システム８０にデータ送受信部１６を介して送信する（以上、ステップＳ２８）。
【００６１】
メーカー在庫管理システム８０のデータ送受信部８１は、この在庫有無問合せ信号に応答して、在庫情報データベース８２に格納されている在庫情報に基づいて、問合せのあった電力量計の在庫をチェックし、チェック結果を示す回答信号を第１の計器在庫管理システム１０に通信回線９０を介して送信する（ステップＳ２９）。
【００６２】
計器調達処理部１４は、「電力量計の在庫がある」旨を示す回答信号をメーカー在庫管理システム８０からデータ送受信部１６を介して受信すると、不足数量分の電力量計を計器メーカーから調達するように指示する計器調達指示信号を第１の計器在庫管理システム１０の表示装置に表示させる（ステップＳ３０）。
【００６３】
その後、配車日（平成１７年７月５日）に、新設又は増設に用いる１４０個の電流量計と不良電力量計の取替に用いる１０個の電力量計とが庫出されると、ｂ営業所の担当者は、「これらの電流量計が庫出された」旨を第１の計器在庫管理システム１０の入力装置を用いて入力するとともに、庫出された電流量計に貼付されているバーコードが示す計器情報を、バーコードリーダ３０を用いて読み取る（ステップＳ３１）。
【００６４】
庫出処理部１５は、入力装置からの「これらの電流量計が庫出された」旨とバーコードリーダ３０からの計器情報とが入力されると、在庫情報データベース５１に格納されている在庫情報を更新して、庫出された電力量計を在庫品から除く（ステップＳ３２）。
【００６５】
以上の説明では、第１の計器在庫管理システム１０と新増設工事システム７０とは別々に庫出請求情報データベース５２，７３を備えたが、共有の庫出請求情報データベースを備えてもよい。
【００６６】
また、第１の計器在庫管理システム１０の庫出入数量算出部１３において新設又は増設に用いる１４０個の電流量計の在庫を確認した場合には、これらの電流量計に貼付されているバーコードに顧客名情報を追記するようにしてもよい。
【産業上の利用可能性】
【００６７】
以上のように、本発明の計器在庫管理システム及び方法は、一般家庭などに取り付けられる電力量計などの計器を保管している計器倉庫における在庫管理に利用することができる。
【図面の簡単な説明】
【００６８】
【図１】本発明の一実施例による計器在庫管理システムの構成を示すブロック図。
【図２】計器に貼付されているバーコードによって示される計器情報の一例を示す図。
【図３】図１に示した計器情報取得部１１の動作を説明するためのフローチャート。
【図４】図１に示した庫出入数量算出部、計器調達処理部及び庫出処理部の動作を説明するためのフローチャート。
【図５】図４に続くフローチャート。
【符号の説明】
【００６９】
１…計器在庫管理システム、１０，２０…計器在庫管理システム、１１…計器情報取得部、１２…庫出請求情報取得部、１３…庫出入数量算出部、１４…計器調達処理部、１５…庫出処理部、１６，２６，７２，８１…データ送受信部、３０…バーコードリーダ、５１，６２，８２…在庫情報データベース、５２，７３…庫出請求情報データベース、５３…撤去計器情報データベース、５４…不良計器情報データベース、７０…新増設工事システム、７１…庫出請求情報生成部、８０…メーカー在庫管理システム、９０…通信回線。
【図１】
2007004214.tif 000003
【図２】
2007004214.tif 000004
【図３】
2007004214.tif 000005
【図４】
2007004214.tif 000006
【図５】
2007004214.tif 000007